(57)【要約】【課題】フリーアクセスフロア下側の配線類の引回し空間と、フリーアクセスフロア上側の機器設置空間と、の間で絶縁を確保するとともに、簡易な構成としてコスト低減も実現するフロアパネル支持具を提供する。【解決手段】台座２２上で９０°毎に形成される４個のカップ側凸部２３を有する受け金具２０と、カップ本体３１の一方の面に形成されるパネル側凸部３２、このパネル側凸部３２により十字状に形成されるパネル側凹部３３、このカップ本体３１の他方の面に形成されて台座２２が嵌め込まれるようになされた台座嵌め込み凹部、この台座嵌め込み凹部と連通し４個のカップ側凸部２３が嵌め込まれるようになされたカップ側凸部嵌め込み凹部を有する絶縁体の保護カップ３０と、を備えるフロアパネル支持具とした。【選択図】図２
0003166274.tif 000002
【実用新案登録請求の範囲】
【請求項１】
支持部材が立設される支持脚と、
支持脚の支持部材に嵌め込まれて固定される筒体、この筒体に連結される円板状の台座、この台座上で９０°毎に形成される４個のカップ側凸部、および、このカップ側凸部により十字状に形成されるカップ側凹部を有する受け金具と、
受け金具のカップ側凹部上に設けられる緩衝用シートと、
絶縁体により形成されるものであり、カップ本体、このカップ本体の一方の面に形成されるパネル側凸部、このパネル側凸部により十字状に形成されるパネル側凹部、このカップ本体の他方の面に形成されて台座が嵌め込まれるようになされた台座嵌め込み凹部、この台座嵌め込み凹部と連通し４個のカップ側凸部が嵌め込まれるようになされたカップ側凸部嵌め込み凹部を有する保護カップと、
を備えることを特徴とするフロアパネル支持具。
【考案の詳細な説明】
【技術分野】
【０００１】
本考案は、例えば、クリーンルームやオフィスルーム等にて必要な配線類の引回し空間を形成するフリーアクセスフロアで用いられ、フロアパネルを支持するためのフロアパネル支持具に関するものである。
【０００２】
フリーアクセスフロアは絶縁を確保する場合があり、このような絶縁に配慮したフリーアクセスフロアに関する従来技術として、例えば文献１（実用新案登録第３１２３５１８号公報、考案の名称「絶縁タイプフロアパネル」）に記載のような考案が知られている。
【０００３】
文献１に記載の従来技術では、パネル本体の上面の全面に絶縁シートを貼り付けたものであり、特にフリーアクセスフロア下側の配線類の引回し空間と、フリーアクセスフロア上側の機器設置空間と、において絶縁シートにより絶縁が確保され、万が一、フリーアクセスフロア下側の配線類から漏れた電流が流れても絶縁シートによりフリーアクセスフロア上側の機器設置まで電流が到達する事態が発生するおそれを低減する、というものである。
【考案の概要】
【考案が解決しようとする課題】
【０００４】
文献１に記載の従来技術は、パネル本体の上側面の全面に絶縁シートを貼り付けるため必要とする材料が多く、また、製造に手間を要するため、コストが高いという問題があった。
【０００５】
そこで、本考案は上記した問題に鑑みてなされたものであり、その目的は、フリーアクセスフロア下側の配線類の引回し空間と、フリーアクセスフロア上側の機器設置空間と、の間で絶縁を確保するとともに、簡易な構成としてコスト低減も実現するフロアパネル支持具を提供することにある。
【課題を解決するための手段】
【０００６】
本考案の請求項１に係るフロアパネル支持具は、
支持部材が立設される支持脚と、
支持脚の支持部材に嵌め込まれて固定される筒体、この筒体に連結される円板状の台座、この台座上で９０°毎に形成される４個のカップ側凸部、および、このカップ側凸部により十字状に形成されるカップ側凹部を有する受け金具と、
受け金具のカップ側凹部上に設けられる緩衝用シートと、
絶縁体により形成されるものであり、カップ本体、このカップ本体の一方の面に形成されるパネル側凸部、このパネル側凸部により十字状に形成されるパネル側凹部、このカップ本体の他方の面に形成されて台座が嵌め込まれるようになされた台座嵌め込み凹部、この台座嵌め込み凹部と連通し４個のカップ側凸部が嵌め込まれるようになされたカップ側凸部嵌め込み凹部を有する保護カップと、
を備えることを特徴とする。
【考案の効果】
【０００７】
本考案によれば、フリーアクセスフロア下側の配線類の引回し空間と、フリーアクセスフロア上側の機器設置空間と、の間で絶縁を確保するとともに、簡易な構成としてコスト低減も実現するフロアパネル支持具を提供することができる。
【図面の簡単な説明】
【０００８】
【図１】本考案を実施するための形態のフロアパネル支持具の斜視外観図である。
【図２】受け金具および受け金具から外した保護カップの斜視外観図である。
【図３】受け金具および受け金具から外した保護カップの正面図である。
【図４】受け金具の説明図であり、図４（ａ）は平面図、図４（ｂ）は正面図である。
【図５】保護カップの説明図であり、図５（ａ）は平面図、図５（ｂ）は正面図、図５（ｃ）は底面図である。
【図６】本考案を実施するための形態のフロアパネル支持具にフロアパネルを設置したときの設置状態を説明する説明図である。
【考案を実施するための形態】
【０００９】
続いて、本考案を実施するための形態のフロアパネル支持具について図を参照しつつ以下に説明する。本形態のフロアパネル支持具１００は、図１で示すように、支持脚１０、受け金具２０、保護カップ３０を備える。
【００１０】
支持脚１０は、さらにベース部１１、固定用孔１２、支持部材１３を備える。
ベース部１１は、充分な厚さを有し、堅牢な円板体である。なお、図１では円板として表したが方形板であっても良い。このベース部１１が図示しない床面の上に載置される。
固定用孔１２は、ベース部１１に形成された複数個（本形態では例示的に４個）の孔である。床面にベース部１１を固定する必要があるときに、この固定用孔１２にボルトを挿通して床の図示しないネジ穴に締結してベース部１１を固定することとなる。なお、この固定用孔１２を使用しないで設置することも可能である。
支持部材１３は、このベース部１１上に立設する棒体である。本形態では円板体であるベース部１１のほぼ中央から立設されている。
【００１１】
受け金具２０は、図２，図３，図４で示すように、筒体２１、台座２２、カップ側凸部２３、カップ側凹部２４、支持部材受部２５、留めねじ２６、リブ２７を備える。これら構成は荷重に耐えうる金属性材料を用いて一体に形成される。
筒体２１は、円柱体である。
台座２２は、筒体２１に連結される円板状の部材である。
【００１２】
カップ側凸部２３は、図４（ａ）で示すように、平面から視て円板状の台座２２上で中心から９０°毎に形成される４個の凸部である。
カップ側凹部２４は、カップ側凸部２３の存在により台座２２の上側で十字状に形成される１個の凹部である。
【００１３】
支持部材受部２５は、図４（ｂ）で示すように、筒体２１内に設けられる穴部である。支持脚１０の支持部材１３が支持部材受部２５に嵌め込まれて筒体２１が固定される。
留めねじ２６は、筒体２１の外周面に設けられたねじ孔に螺挿されており、その先端が支持部材受部２５まで到達している。この留めねじ２６により支持部材１３に対する筒体２１の高さを調節しつつ固定できる。
リブ２７は、筒体２１と台座２２との間に渡されて設けられており、筒体２１に対して台座２２が変形等しないように堅牢に支持している。
【００１４】
保護カップ３０は、図２，図３の矢印で示すように受け金具２０の上側に嵌め込まれるものである。保護カップ３０は、詳しくは図５で示すように、カップ本体３１、パネル側凸部３２、パネル側凹部３３、台座嵌め込み凹部３４、カップ側凸部嵌め込み凹部３５を備える。保護カップ３０では、これら構成は絶縁性を有するとともに荷重に耐えうる材料を用いて一体に形成される。
【００１５】
カップ本体３１は、円柱状に形成される本体である。
パネル側凸部３２は、平面から視て円柱状のカップ本体３１上で中心から９０°毎に形成される４個の凸部である。
パネル側凹部３３は、これら４個のパネル側凸部３２により十字状に形成される１個の凹部である。
【００１６】
台座嵌め込み凹部３４は、このカップ本体３１の他方の面に形成されて台座２２が嵌め込まれるようになされた１個の凹部である。
カップ側凸部嵌め込み凹部３５は、この台座嵌め込み凹部３４と連通し、受け金具２０の４個のカップ側凸部２３が嵌め込まれるようになされた４個の凹部である。なお、カップ側凸部嵌め込み凹部３５は、パネル側凸部３２内に形成されることとなる。
【００１７】
緩衝用シート４０は、受け金具２０と保護カップ３０との間に配置される。振動などが存在するとき、緩衝用シート４０により受け金具２０と保護カップ３０の間での振動の伝達を防止する。また、緩衝用シート４０を絶縁材料により形成すれば、受け金具２０と保護カップ３０との間で絶縁を確保する。
【００１８】
続いて、フロアパネル支持具１００の組み立て方法について説明する。支持脚１０の支持部材１３を、受け金具２０の支持部材受部２５に嵌め込み、留めねじ２６で固定する。
次に、受け金具２０の上に保護カップ３０を配置する。この際、保護カップ３０の台座嵌め込み凹部３４に受け金具２０の台座２２を嵌め込むと同時に保護カップ３０の４個のカップ側凸部嵌め込み凹部３５に受け金具２０の４個のカップ側凸部２３を嵌め込む。これにより、図１で示すようなフロアパネル支持具１００となる。
【００１９】
続いて、実際の使用形態について説明する。図６で示すように、保護カップのパネル側凹部３３内に、フロアパネル５０の隅部を配置すると、パネル側凸部３２がフロアパネル５０を移動しないように位置決めする。そして、図示しないが他の箇所にあるフロアパネル支持具１００によりフロアパネル５０の四隅で同様に位置決めされており、フロアパネル５０は固定される。なお、図６ではフロアパネル５０間で隙間が形成された図となっているが、フロアパネル５０の配置をわかりやすくするための図であり、実際は隙間なく配置される。
【００２０】
このようなフロアパネル支持具１００の特徴について説明する。本形態のフロアパネル支持具１００では、特に保護カップ３０を絶縁体として設けた点にある。保護カップ３０はフロアパネル５０と、受け金具２０や緩衝用シート４０と、の間に配置されるため、保護カップ３０より下側にあるフリーアクセスフロア下側の配線類の引回し空間と、保護カップ３０より上側にあるフリーアクセスフロア上側の機器設置空間と、の間で絶縁を確保することができるようになる。そして、保護カップ３０は、簡易な構成であって、押し出し成形等で製造でき、また、組み立ても受け金具２０の上に載置するというものであっていわゆる設置性を向上させており、これら効果からコスト低減に寄与する。
【００２１】
以上、本形態について説明した。本形態では支持脚１０の支持部材１３は棒体であり、また、受け金具２０の支持部材受部２５は穴部であるとして説明した。しかしながら、本形態では支持脚１０の支持部材１３を雄ねじとし、また、受け金具２０の支持部材受部２５を雌ねじとしても良い。このような構成を採用すれば高さ調整を容易にすることができる。また、若干の高さの相違はフロアパネル５０の重みにより緩衝シート４０が変形して高さを調節することが可能である。
【００２２】
このような本考案によれば、例えば、支持脚１０および受け金具２０による既存のフロアパネル支治具１００があるような場合、絶縁性を有する保護カップ３０を追加すれば、保護カップ３０よりも下側にあるフリーアクセスフロア下側の配線類の引回し空間と、保護カップ３０よりも上側にあるフリーアクセスフロア上側の機器設置空間と、の間で絶縁を確保する。また、保護カップ３０を追加するだけであるため簡易な構成を維持しつつ絶縁を確保するため、フロアパネルに絶縁シートを貼り付けるよりもコスト低減に寄与するものとなっている。
【産業上の利用可能性】
【００２３】
本考案は、例えば、クリーンルームやオフィスルーム等にて必要な配線類の引回し空間を形成するためのフリーアクセスフロアで用いられるフロアパネル支持具部として適用することができる。
【符号の説明】
【００２４】
１００：フロアパネル支治具
１０：支持脚
１１：ベース部
１２：固定用孔
１３：支持部材
２０：受け金具
２１：筒体
２２：台座
２３：カップ側凸部
２４：カップ側凹部
２５：支持部材受部
２６：留めねじ
２７：リブ
３０：保護カップ
３１：カップ本体
３２：パネル側凸部
３３：パネル側凹部
３４：台座嵌め込み凹部
３５：カップ側凸部嵌め込み凹部
４０：緩衝用シート
５０：フロアパネル
【図１】
0003166274.tif 000003
【図２】
0003166274.tif 000004
【図３】
0003166274.tif 000005
【図４】
0003166274.tif 000006
【図５】
0003166274.tif 000007
【図６】
0003166274.tif 000008